(57)【要約】      （修正有）【課題】サッシに強風が吹きつけてもサッシをしっかりと止めておくことができる下フレームの改良構造を提供する。【解決手段】下フレームの改良構造１は、主としてフレームの底部に設けられ、フレームベースに掛合プレート１０６が設けられるものであって、フレームベースは、基板１０１と、基板１０１の両側に設けられる第１遮断プレート１０２及び第２遮断プレート１０３と、第１遮断プレート１０２と第２遮断プレート１０３の間に設けられて第１遮断プレート１０２及び第２遮断プレート１０３と平行であり、且つ、下端が基板１０１に対し垂直に連結される第３遮断プレート１０４と、第１遮断プレート１０２と第３遮断プレート１０４の上端に連結されて基板１０１に対し平行に設けられる連結プレート１０５と、基板１０１の上方に設けられるとともに両側がそれぞれ第２遮断プレート１０３と第３遮断プレート１０４に連結される耐荷プレート１０７とを含む。【選択図】図１
0003218065.tif 000002
【実用新案登録請求の範囲】
【請求項１】
主としてフレームの底部に設けられ、フレームベースに掛合プレートが設けられる下フレームの改良構造であって、
前記フレームベースは、
基板と、
前記基板の両側に設けられる第１遮断プレート及び第２遮断プレートと、
前記第１遮断プレートと前記第２遮断プレートの間に設けられて第１遮断プレート及び第２遮断プレートと平行であり、且つ、下端が基板に対し垂直に連結される第３遮断プレートと、
前記第１遮断プレートと前記第３遮断プレートの上端に連結されて基板に対し平行に設けられる連結プレートと、
前記基板の上方に設けられるとともに両側がそれぞれ第２遮断プレートと第３遮断プレートに連結される耐荷プレートと、
前記耐荷プレートと、前記耐荷プレートに対し垂直であり且つ第２遮断プレートに隣接するプレート体と、掛合プレートとにより囲繞されてなるスライド経路と、
前記耐荷プレートのうち掛合プレートとプレート体の間に垂直に設けられた中間プレート体と、を含み、
前記掛合プレートは、前記第３遮断プレートの上端に設けられており、
前記掛合プレートは、前記第３遮断プレートの上端からフレームの内側に向かって水平方向に一定の距離だけ延伸してから、垂直に下方に向かって一定距離だけ延伸することで形成され、且つ、前記掛合プレートと前記耐荷プレートとの間には開口が備えられることを特徴とする下フレームの改良構造。
【請求項２】
前記掛合プレートのうち垂直に下方に向かって延伸するプレート体には、嵌設溝が設けられている請求項１に記載の下フレームの改良構造。
【考案の詳細な説明】
【技術分野】
【０００１】
本考案は、フレームに関し、より詳細には、強風でも吹き飛ばされることなくサッシをフレームに引っ掛けることができる下フレームの改良構造に関する。
【背景技術】
【０００２】
一般的に市場で流通しているアルミニウム製の扉や窓は、良好な排水機能と防音効果を有しているが、台風が来たときに台風で発生する強風に耐え得るほどの耐久性のあるアルミニウム製の扉や窓はほとんどない。強風によってアルミ製のドアや窓が吹き飛ばされてしまって、多くの雨風が入り込んで家屋内の家具や物品を損傷してしまう。台風が去った後に、家屋内の家具や物品を交換する必要があるだけでなく、吹き飛ばされたドアや窓を作業員が修理する必要もある。このようにアルミニウム製の扉や窓においては、排水機能と同等に強風に耐性が重要であることが明らかである。
【０００３】
従来の扉や窓のフレームを開示する文献として、下記の特許文献１が挙げられる。特許文献１に開示のフレームは、枠体にフレーム体を締結固定したサッシフレームをＲＣ造またはＳＲＣ造の躯体開口部に締結固定してなる構造において、前記躯体開口部の下辺にはモルタルを介して下部下地アングルが設けられ、前記躯体開口部の上辺には前記窓枠体と略同幅の間隔を有して両側にそれぞれ上部下地アングルが設けられ、前記フレーム体は前記窓枠体の左右縦辺に固定される縦フレーム材を有し、該縦フレーム材は上下端部がそれぞれ前記上部下地アングル及び下部下地アングルに固定され、前記縦フレーム材と上部下地アングル及び下部下地アングルに囲まれる領域に外壁パネルが取付けられてなる。
【０００４】
しかしながら、特許文献１に開示のフレームを用いても十分な強風に対する耐性を得ることはできていなかった。
【０００５】
そこで、長年にわたり関連分野の研究開発経験を重ねて、上記欠点を掘り下げて議論し、上記の要求に基づいて積極的に解決策を模索することによって本考案を完成させた。
【先行技術文献】
【特許文献】
【０００６】
【特許文献１】特開２００９−２４３１８７号
【考案の概要】
【考案が解決しようとする課題】
【０００７】
本考案の主な目的は、強風に対するサッシの耐性を高めることである。
【課題を解決するための手段】
【０００８】
上記目的を達成するために、本考案の下フレームの改良構造は、主としてフレームの底部に設けられ、フレームベースに掛合プレートが設けられている。
【０００９】
上記フレームベースは、基板と、前記基板の両側に設けられる第１遮断プレート及び第２遮断プレートと、前記第１遮断プレートと前記第２遮断プレートの間に設けられて第１遮断プレート及び第２遮断プレートと平行であり、且つ、下端が基板に対し垂直に連結される第３遮断プレートと、前記第１遮断プレートと前記第３遮断プレートの上端に連結されて基板に対し平行に設けられる連結プレートと、前記基板の上方に設けられるとともに両側がそれぞれ第２遮断プレートと第３遮断プレートに連結される耐荷プレートと、前記耐荷プレートと、前記耐荷プレートに対し垂直であり且つ第２遮断プレートに隣接するプレート体と、掛合プレートとにより囲繞されてなるスライド経路と、前記耐荷プレートのうち掛合プレートとプレート体の間に垂直に設けられた中間プレート体と、を含む。
【００１０】
掛合プレートは、前記第３遮断プレートの上端に設けられており、前記第３遮断プレートの上端からフレームの内側に向かって水平方向に一定の距離だけ延伸してから、垂直に下方に向かって一定距離だけ延伸することで形成され、且つ、前記掛合プレートと前記耐荷プレートとの間には開口が備えられている。
【考案の効果】
【００１１】
上記下フレームの改良構造によれば、掛合プレートの設計により、フックを備えたサッシがフレームに引っ掛かるので、強風に対するサッシの耐性を高めることができるという優れた効果を示す。
【図面の簡単な説明】
【００１２】
【図１】本考案の下フレームの改良構造の概略図である。
【図２】本考案の下フレームの改良構造が実装された状態を示す模式図である。
【考案を実施するための形態】
【００１３】
本考案の目的、有用性、特徴及び構造をより明確に理解するために、好ましい実施形態を図示し、当該図面を参照しながら以下に説明する。
【００１４】
図１は、本考案の下フレームの改良構造の概略図である。
【００１５】
本考案は、主としてフレームの底部に設けられ、フレームベースに掛合プレート１０６が設けられた下部フレームの改良構造を提供するものである。
【００１６】
前記フレームベースは、基板１０１；前記基板１０１の両側に設けられて室内と屋外を区別する第１遮断プレート１０２及び第２遮断プレート１０３；第１遮断プレート１０２と第２遮断プレート１０３の間に設けられて第１遮断プレート１０２及び第２遮断プレート１０３と平行であり、且つ、下端が基板１０１に対し垂直に連結される第３遮断プレート１０４；基板１０１の上方に配置され、第１遮断プレート１０２と第３遮断プレート１０３の上端に連結され、基板１０１に対し平行に設けられる連結プレート１０５；前記基板１０１の上方に設けられるとともに両側がそれぞれ第２遮断プレート１０３と第３遮断プレート１０４に連結されることでフレーム構造全体の強度を高める耐荷プレート１０７；前記耐荷プレート１０７と、前記耐荷プレート１０７に対し垂直であり且つ第２遮断プレート１０３に隣接するプレート体１１０１と、掛合プレート１０６とにより囲繞されてなるスライド経路１１０；耐荷プレート１０７における掛合プレート１０６とプレート体１１０１の間に垂直に設けられた中間プレート体１１０２を含む。
【００１７】
上記掛合プレート１０６は、第３遮断プレート１０４の上端に設けられており、第３遮断プレート１０４の上端からフレームの内側に向かって水平方向に一定の距離だけ延伸してから、下方に向かって垂直に一定距離だけ延伸することで形成され、掛合プレート１０６と耐荷プレート１０７との間には開口１０８が備えられる。掛合プレート１０６のうち垂直に下方に向かって延伸するプレート体には、嵌設溝１０９が設けられており、この嵌設溝１０９がサッシの外枠の表面に接触することでサッシとフレームの気密性が高められている。
【００１８】
本考案の実施形態及び関連する図面の詳細を以下に説明する。
【００１９】
図２及び図１を参照して、図２は、本考案の下フレームの改良構造が実装された状態を示す概略図である。
【００２０】
本考案を実装する作業においては、フック２を備えたサッシと連動して最高の防風効果を発揮することができる。この実装作業においては、まず、フレームの開口１０８にフック２を通し、このフック２を掛合プレート１０６に引っ掛けるとともにサッシの外枠をスライド経路１１０に差し込む。フック２と掛合プレート１０６とが引っ掛けられることにより、フレーム内でサッシが揺れ動く振れ幅を小さくすることができる。これによりサッシに強風が吹きつけたときでもフック２がフレームにしっかりと引っ掛かるので、サッシが大きく揺れることがないし、サッシがフレームに直接当たってしまうことを効果的に防止できる。これによりサッシが強風でスライド経路１１０から脱落して吹き飛ばされることを防止することができる。
【００２１】
本考案の下フレームの改良構造によれば、掛合プレートの設計により、サッシをフックで固定できるので、サッシに強風が吹きつけられてサッシが強風に押されてもサッシをしっかりと固定することができる。これにより強風によってサッシが吹き飛ばされることも傷付けられることもなく、強風に対する耐性を高める効果が得られる。
【００２２】
上述のような下フレームの構造に関する国内外の技術情報文献を確認したところ、本考案がなされる前に同一又は類似の構造が存在しないという事実が明らかであった。このため、本考案及び本考案の類似製品の進歩性及び実用性が認められる。したがって、本考案は、「創造性」、「産業上の利用可能性」および「進歩性」という実用新案法上の登録要件を満たす。
【００２３】
上述の説明は、本考案の好ましい実施形態に過ぎず、本考案を利用するもの及びこれと同等の構造的な変更を加えたものはいずれも、本考案の実用新案登録請求の範囲に含まれるものと解される。
【符号の説明】
【００２４】
１  下フレームの改良構造
２  フック
１０１  基板
１０２  第１遮断プレート
１０３  第２遮断プレート
１０４  第３遮断プレート
１０５  連結プレート
１０６  掛合プレート
１０７  耐荷プレート
１０８  開口
１０９  嵌設溝
１１０  スライド経路
１１０１  プレート体
１１０２  中間プレート体
【図１】
0003218065.tif 000003
【図２】
0003218065.tif 000004